(57)【特許請求の範囲】
【請求項１】
断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、
コーナー部において相互に付き合わされる前記バンパー本体間に渡って金具を取り付け、この金具に前記コーナーバンパーを固定すると共に、このコーナーバンパーの隅角部内面には、前記金具に当接するリブを突設したことを特徴とするショーケース。
【請求項２】
断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、
前記バンパー本体は長手方向に渡る凹溝と、この凹溝を開閉可能に閉塞するカバー部材を備え、前記凹溝内にて前記バンパー本体を前記断熱壁にネジ止めすると共に、コーナー部において相互に付き合わされる前記バンパー本体間に渡って金具を設け、この金具の両端部を前記凹溝内にて前記バンパー本体にネジ止めし、前記金具に前記コーナーバンパーを固定したことを特徴とするショーケース。
【請求項３】
コーナーバンパーの隅角部内面には、金具に当接するリブを突設したことを特徴とする請求項２のショーケース。
【発明の詳細な説明】
【０００１】
【発明の属する技術分野】
本発明は、例えばスーパーマーケットやコンビニエンスストアなどの店内に据え付けられ、食品などの商品を陳列保存する低温ショーケースなどのショーケースに関するものである。
【０００２】
【従来の技術】
従来のこの種ショーケースは、例えば特開平９−５６５３７号公報（Ｆ２５Ｄ２３／０６）に示されている。以下、図６を参照しながら従来のこの種ショーケース１００の構造について説明する。
【０００３】
図６のショーケース１００は所謂平型のオープンショーケースであり、本体を構成する断熱壁１０１の外面には、バンパー１０２が取り付けられ、ショッピングカートなどの衝突から断熱壁１０１を保護している。
【０００４】
この場合、バンパー１０２は直線状のバンパー本体１０３・・・とコーナーバンパー１０４・・・とから構成され、バンパー本体１０３・・・が相互に突き合わされるコーナー部に前記コーナーバンパー１０４が配置される。そして、コーナーバンパー１０４の両端部は各バンパー本体１０３、１０３の端部に被さって重合すると共に、同図に示すように断熱壁１０１にネジ１０６にて固定され、それによって、断熱壁１０１のコーナー部を覆う構造とされていた。
【０００５】
【発明が解決しようとする課題】
ところで、各バンパー本体１０３・・・はそれぞれ断熱壁１０１にネジ止めされるため、コーナー部において相互に付き合わされるバンパー本体１０３、１０３の取り付け位置（高さ）を正確に規定することは困難であり、各バンパー本体１０３、１０３はコーナー部において微妙に高さがずれる場合がある。
【０００６】
しかしながら、バンパー本体１０３、１０３の高さにずれが生じていると、コーナーバンパー１０４を被せた際、コーナーバンパー１０４が斜めになるため、バンパー本体１０３との間に隙間が生じたり、固定が不十分となってしまう問題が生じる。そのため、従来ではコーナーバンパー１０４を取り付ける際、バンパー本体１０３の取り付け位置を調整しながら行わなければならず、組立作業が極めて煩雑なものとなっていた。
【０００７】
特にコーナーバンパー１０４は、バンパー本体１０３に被さっているだけで断熱壁１０１に直接接触しておらず、その状態でネジ止めされているのみであるので、ショッピングカートなどが衝突すると、その強い衝撃によって上下・左右にズレてしまうと共に、最悪の場合には破損・脱落してしまう問題もあった。
【０００８】
本発明は係る従来の技術的課題を解決するために成されたものであり、ショーケースに取り付けられるバンパーの組立作業性を改善すると共に、コーナーバンパーの取付強度を向上させることを目的とするものである。
【０００９】
【課題を解決するための手段】
請求項１の発明のショーケースは、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るものであって、コーナー部において相互に付き合わされるバンパー本体間に渡って金具を取り付け、この金具にコーナーバンパーを固定すると共に、このコーナーバンパーの隅角部内面には、金具に当接するリブを突設したことを特徴とする。
【００１０】
請求項１の発明によれば、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、コーナー部において相互に付き合わされるバンパー本体間に渡って金具を取り付け、この金具にコーナーバンパーを固定するようにしたので、コーナー部において相互に付き合わされるバンパー本体の取付位置（高さ）は金具によって規定され、位置ズレが修正されることになる。
【００１１】
そして、コーナーバンパーはこの金具に取り付ける構成としたので、コーナーバンパーとバンパー本体の位置合わせや、コーナーバンパー自体の取り付け作業が極めて容易となり、ショーケースのバンパーの組立作業性が著しく改善されるものである。特に、コーナーバンパーの隅角部内面に、金具に当接するリブを突設したので、コーナーバンパーの隅角部はリブにて金具に保持されるかたちとなり、強度が著しく向上し、衝撃が加わった場合の位置ズレや破損事故の発生を効果的に解消することができるようになるものである。
【００１２】
請求項２の発明のショーケースは、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るものであって、バンパー本体は長手方向に渡る凹溝と、この凹溝を開閉可能に閉塞するカバー部材を備え、凹溝内にてバンパー本体を断熱壁にネジ止めすると共に、コーナー部において相互に付き合わされるバンパー本体間に渡って金具を設け、この金具の両端部を凹溝内にてバンパー本体にネジ止めし、金具にコーナーバンパーを固定したことを特徴とする。
【００１３】
請求項２の発明によれば、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、コーナー部において相互に付き合わされるバンパー本体間に渡って金具を取り付け、この金具にコーナーバンパーを固定するようにしたので、コーナー部において相互に付き合わされるバンパー本体の取付位置（高さ）は金具によって規定され、位置ズレが修正されることになる。
【００１４】
そして、コーナーバンパーはこの金具に取り付ける構成としたので、コーナーバンパーとバンパー本体の位置合わせや、コーナーバンパー自体の取り付け作業が極めて容易となり、ショーケースのバンパーの組立作業性が著しく改善されるものである。特に、バンパー本体は長手方向に渡る凹溝と、この凹溝を開閉可能に閉塞するカバー部材を備えており、凹溝内にてバンパー本体を断熱壁にネジ止めしているので、バンパー本体の断熱壁への取付作業が容易となると共に、ネジ止め箇所はカバーにて隠蔽される。また、金具の両端部もこの凹溝内にてバンパー本体にネジ止めするので、金具のネジ止め箇所もカバーにより隠蔽でき、総じて外観の悪化も問題なくなるものである。
【００１５】
請求項３の発明のショーケースは、上記においてコーナーバンパーの隅角部内面には、金具に当接するリブを突設したことを特徴とする。
【００１６】
請求項３の発明によれば、上記に加えてコーナーバンパーの隅角部内面に、金具に当接するリブを突設したので、コーナーバンパーの隅角部はリブにて金具に保持されるかたちとなり、強度が著しく向上し、衝撃が加わった場合の位置ズレや破損事故の発生を効果的に解消することができるようになるものである。
【００１７】
【発明の実施の形態】
次に、図面に基づき本発明の実施形態を詳述する。図１は本発明の実施形態としての平型ショーケース１の側面図、図２は平型ショーケース１のコーナー部の拡大分解斜視図、図３は同じく平型ショーケース１のコーナー部の拡大平断面図である。
【００１８】
本発明のショーケース１は、スーパーマーケットなどの店舗に設置される所謂平型の低温ショーケースであり、図１に示す如く上方に向けて開口し、内部に上面開口の貯蔵室３が形成された断熱壁（断熱箱体）６にて本体が構成されている。この断熱壁６の下部には機械室７が構成されており、この機械室７内には貯蔵室３を冷却するための冷却装置を構成する図示しない圧縮機や凝縮器などが設置されている。
【００１９】
また、貯蔵室３の底部には、図示しないワイヤラック上に図示しないデックパンと称される所定面積の商品載置板が載置され、この下方に図示しないダクト（循環路）を形成すると共に、このダクト内に冷却装置の蒸発器と送風機が設けられ、この蒸発器にて冷却された冷気を送風機によって、開口の一方の縁部に形成した図示しない吐出口から対向する他方の縁部に形成した吸込口に向けて吐出している。これによって、貯蔵室３の開口にはエアーカーテンを形成しつつ、貯蔵室３内を所定の温度に冷却している。
【００２０】
一方、断熱壁６の開口縁の各辺外側には、バンパー５が取り付けられている。このバンパー５は、直線状の硬質樹脂製バンパー本体１０・・・（４本）と、バンパー本体１０、１０が付き合わされるコーナー部に取り付けられる硬質樹脂製コーナーバンパー１１・・・（４個）とから構成される。また、ショーケース１の各コーナー部には、開口の上方に向かって垂直に支柱８・・が取り付けられ、各支柱８・・の間にはそれぞれ透明板４・・が取り付けられている。
【００２１】
また、前記断熱壁６の外面下端にもバンパー９・・・が取り付けられている。このバンパー９は、直線状で断面略Ｅ字状の硬質樹脂製バンパー本体１２・・・（４本）と、バンパー本体１２、１２が付き合わされるコーナー部に取り付けられる硬質樹脂製コーナーバンパー１３・・・（４個）とから構成される。
【００２２】
前記バンパー５を構成するバンパー本体１０は、図４に示す如く外側に向けて低く傾斜した上面１６と、この上面１６の外端から内方に凹陥して形成された長手方向に渡る凹溝１７と、この凹溝１７の開口下端から再び内方に向け斜めに降下する下面１８を備えている。この凹溝１７の底面にはバンパー本体１０の両端部を含み、複数のネジ孔１９が穿設されており、更にこの凹溝１８には後述する樹脂製のカバー部材２１が着脱可能に係合し、その開口が閉塞される構造とされている。
【００２３】
係るバンパー本体１０は前記ネジ孔１９に図示しないネジを挿入して断熱壁６に螺着することにより、断熱壁６の開口縁外面に固定される。そして、断熱壁６のコーナー部にて相互に付き合わされるバンパー本体１０、１０間には、それらに渡って金具２２が固定される。
【００２４】
この金具２２は短冊状の鋼板を屈曲して構成されており、図４に示す如く中央部で左右に渡る当接部２３と、この当接部２３の両側から略４５度の角度で屈曲され、後退して相互に略直角を成すよう外方に延在する固定部２４、２４と、各固定部２４、２４の外端から階段状に後退した後、外方に延在する取付部２６、２６とから成る。
【００２５】
そして、固定部２４、２４にはネジ孔２７がそれぞれ穿設されると共に、取付部２６、２６にもネジ孔２８、２８がそれぞれ二つずつ穿設されている。
【００２６】
一方、前記コーナーバンパー１１は、バンパー本体１０の外面形状に略合致する形状を呈しており、全体としては直角を構成するよう所定曲率で湾曲された形状を呈している。また、コーナーバンパー１１の隅角部１１Ａの内面には、図３に示す如く上下及び水平のリブ３１、３２が一体に突設されており、更に、上下のリブ３１の中央には矩形状の溝３３（図３では溝３３の底面が現れている）が形成され、水平のリブ３２はこの溝３３の底面と面一とされている。
【００２７】
また、隅角部１１Ａの左右であって、両側端から少許内側に入った位置にはネジ孔３４、３４がそれぞれ形成されている。
【００２８】
以上の構成で、バンパー５の取付手順を説明する。先ず、前述の如くバンパー本体１０の凹溝１７内に図示しないネジを挿入し、その両端以外の部分を断熱壁６の開口縁の外側にバンパー本体１０を仮止めする。次ぎに、コーナー部において付き合わされているバンパー本体１０、１０間に渡って断熱壁６のコーナー部に金具２２を宛い、その両端の取付部２６、２６を各バンパー本体１０、１０の凹溝１７内に略キッチリと挿入する（図４）。
【００２９】
このとき取付部２６、２６のネジ孔２８、２８はバンパー本体１０、１０の凹溝１７内に形成したネジ孔１９・・・に合致する。そして、各ネジ孔２８・・・、１９・・・にネジ３６を挿入し、断熱壁６に螺着することにより、バンパー本体１０、１０を金具２２にて相互に連結すると同時にそれらの両端を断熱壁６に固定する（図２）。
【００３０】
これによって、コーナー部にて付き合わされるバンパー本体１０、１０の取付位置（高さ）は同一に規定されることになる。そして、この状態で前記カバー部材２１を凹溝１７の開口部に係合させ、凹溝１７とネジ３６及び金具２２の取付部２６を隠蔽する。
【００３１】
次ぎに、この状態でコーナーバンパー１１を断熱壁６のコーナー部に宛う。このとき、コーナーバンパー１１の両端部はバンパー本体１０、１０の端部に被さる。また、金具２２の当接部２３はリブ３１の溝３３内に進入して略キッチリと係合し、且つ、外面はリブ３２に当接する（図３）。
【００３２】
また、金具２２の当接部２３の両側に位置する固定部２４、２４は、コーナーバンパー１１の両側部の裏面に当接し、ネジ孔２７はネジ孔３４の内側に合致する。その状態で、ネジ３７をネジ孔３４に挿入し、ネジ孔２７に螺合させてコーナーバンパー１１を金具２２に固定する（図５）。
【００３３】
係るコーナーバンパー１１の取り付け時、コーナー部において相互に付き合わされるバンパー本体１０、１０の取付位置（高さ）は金具２２によって規定され、位置ズレは修正されているので、コーナーバンパー１１とバンパー本体１０、１０はコーナーから見た場合、水平直線上に並ぶことになる。従って、コーナーバンパー１１とバンパー本体１０の位置合わせや、その後のコーナーバンパー１１自体の取り付け作業が極めて容易となり、バンパー５の組立作業性が著しく改善される。
【００３４】
また、コーナーバンパー１１の隅角部１１Ａ内面には、金具２２の当接部２３に当接するリブ３１、３２を突設したので、コーナーバンパー１１自体の強度が増すのに加えて、コーナーバンパー１１の隅角部１１Ａはリブ３１、３２にて金具２２に保持されるかたちとなり、強度が著しく向上する。更に、リブ３１に形成された溝３３には金具２２の当接部２３が係合するので、衝撃が加わった場合の位置ズレ防止効果も向上する。
【００３５】
更に、バンパー本体１０と金具２２を止めるネジ３６や金具２２の両端部はカバー部材２１にて隠蔽されるので、外観の悪化も問題なくなる。尚、上記下方のバンパー９の構造もバンパー５と同様である。
【００３６】
【発明の効果】
以上詳述した如く請求項１の発明によれば、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、コーナー部において相互に付き合わされるバンパー本体間に渡って金具を取り付け、この金具にコーナーバンパーを固定するようにしたので、コーナー部において相互に付き合わされるバンパー本体の取付位置（高さ）は金具によって規定され、位置ズレが修正されることになる。
【００３７】
そして、コーナーバンパーはこの金具に取り付ける構成としたので、コーナーバンパーとバンパー本体の位置合わせや、コーナーバンパー自体の取り付け作業が極めて容易となり、ショーケースのバンパーの組立作業性が著しく改善されるものである。特に、コーナーバンパーの隅角部内面に、金具に当接するリブを突設したので、コーナーバンパーの隅角部はリブにて金具に保持されるかたちとなり、強度が著しく向上し、衝撃が加わった場合の位置ズレや破損事故の発生を効果的に解消することができるようになるものである。
【００３８】
また、請求項２の発明によれば、断熱壁の外面に取り付けられたバンパーを備え、このバンパーを、コーナー部において相互に付き合わされる直線状のバンパー本体と、各バンパー本体の端部間に渡って設けられるコーナーバンパーとから構成して成るショーケースにおいて、コーナー部において相互に付き合わされるバンパー本体間に渡って金具を取り付け、この金具にコーナーバンパーを固定するようにしたので、コーナー部において相互に付き合わされるバンパー本体の取付位置（高さ）は金具によって規定され、位置ズレが修正されることになる。
【００３９】
そして、コーナーバンパーはこの金具に取り付ける構成としたので、コーナーバンパーとバンパー本体の位置合わせや、コーナーバンパー自体の取り付け作業が極めて容易となり、ショーケースのバンパーの組立作業性が著しく改善されるものである。特に、バンパー本体は長手方向に渡る凹溝と、この凹溝を開閉可能に閉塞するカバー部材を備えており、凹溝内にてバンパー本体を断熱壁にネジ止めしているので、バンパー本体の断熱壁への取付作業が容易となると共に、ネジ止め箇所はカバーにて隠蔽される。また、金具の両端部もこの凹溝内にてバンパー本体にネジ止めするので、金具のネジ止め箇所もカバーにより隠蔽でき、総じて外観の悪化も問題なくなるものである。
【００４０】
請求項３の発明によれば、上記に加えてコーナーバンパーの隅角部内面に、金具に当接するリブを突設したので、コーナーバンパーの隅角部はリブにて金具に保持されるかたちとなり、強度が著しく向上し、衝撃が加わった場合の位置ズレや破損事故の発生を効果的に解消することができるようになるものである。
【図面の簡単な説明】
【図１】  本発明の実施例としての平型ショーケースの側面図である。
【図２】  図１の平型ショーケースのコーナー部の拡大分解斜視図である
【図３】  図１の平型ショーケースのコーナー部の拡大平断面図である。
【図４】  図１の平型ショーケースのバンパー本体と金具の分解斜視図である。
【図５】  図１の平型ショーケースのバンパーのコーナー部の斜視図である。
【図６】  従来の平型ショーケースのコーナー部の拡大分解斜視図である。
【符号の説明】
１  平型ショーケース
６  断熱壁
５、９  バンパー
１０  バンパー本体
１１  コーナーバンパー
１７  凹溝
２１  カバー部材
２２  金具
３１、３２  リブ
【図１】
0003802263.tif 000002
【図２】
0003802263.tif 000003
【図３】
0003802263.tif 000004
【図４】
0003802263.tif 000005
【図５】
0003802263.tif 000006
【図６】
0003802263.tif 000007